(57)【要約】【課題】電力レベルが小さい遅延波についても検出して、高精度の遅延プロファイルを得る。【解決手段】  既知パターンを含むフレーム構成の受信信号が入力され、前記既知パターンと同一パターンの参照信号と前記受信信号との時間相関を算出して相関値を出力する相関部１１と、前記受信信号のフレーム期間中における前記相関値の最大ピーク位置を基準にして前記相関部の出力の時間距離を求めて時間距離情報を出力する時間距離検出部１３と、前記最大ピーク位置と前記時間距離情報とに基づいて前記相関部が算出する前記相関値の変化に対応する閾値を生成する閾値生成部１４と、前記相関部からの前記相関値を前記閾値と比較することで前記相関値のレベルに基づいて有効な遅延波の検出結果を得、前記検出結果を遅延プロファイルとして出力する有効パス判定部１２とを具備したことを特徴とする。【選択図】図１
2011199391.tif 000002
【特許請求の範囲】
【請求項１】
既知パターンを含むフレーム構成の受信信号が入力され、前記既知パターンと同一パターンの参照信号と前記受信信号との時間相関を算出して相関値を出力する相関部と、
前記受信信号のフレーム期間中における前記相関値の最大ピーク位置を基準にして前記相関部の出力の時間距離を求めて時間距離情報を出力する時間距離検出部と、
前記最大ピーク位置と前記時間距離情報とに基づいて前記相関部が算出する前記相関値の変化に対応する閾値を生成する閾値生成部と、
前記相関部からの前記相関値を前記閾値と比較することで前記相関値のレベルに基づいて有効な遅延波の検出結果を得、前記検出結果を遅延プロファイルとして出力する有効パス判定部と
を具備したことを特徴とする伝送路応答推定器。
【請求項２】
既知パターンを含むフレーム構成の受信信号が入力され、前記既知パターンと同一パターンの参照信号と前記受信信号との時間相関を算出して相関値を出力する相関部と、
所定の閾値以上の１つ以上の前記相関値のピーク位置を基準にして前記相関部の出力の時間距離を前記ピーク位置毎に求めて時間距離情報を出力する時間距離検出部と、
前記ピーク位置毎の前記時間距離情報に基づいて前記相関部が算出する前記相関値の変化に対応する閾値を前記ピーク位置毎に生成する閾値生成部と、
前記閾値生成部が生成した前記ピーク位置毎の閾値を合成して合成閾値を得る合成部と、
前記相関部からの前記相関値を前記合成閾値と比較することで前記相関値のレベルに基づいて有効な遅延波の検出結果を得、前記検出結果を遅延プロファイルとして出力する有効パス判定部と
を具備したことを特徴とする伝送路応答推定器。
【請求項３】
前記閾値生成部は、前記最大ピーク位置、前記時間距離情報及び前記相関値に基づいて前記閾値を生成することを特徴とする請求項１又は２に記載の伝送路応答推定器。
【請求項４】
前記閾値生成部は、前記相関値の最大値に基づいて前記閾値のオフセット量を制御することを特徴とする請求項３に記載の伝送路応答推定器。
【請求項５】
前記相関部からの相関値を平滑化して出力する平滑化部を具備し、
前記閾値生成部は、前記最大ピーク位置、前記時間距離情報及び前記平滑化部の出力に基づいて前記閾値を生成することを特徴とする請求項１又は２に記載の伝送路応答推定器。
【請求項６】
前記平滑化部は、前記受信信号をフレーム単位でベクトル積分するか、同位相化してベクトル積分するか、IIRフィルタを用いるか又はFIRフィルタを用いることにより平滑化を行うことを特徴とする請求項５に記載の伝送路応答推定器。
【発明の詳細な説明】
【技術分野】
【０００１】
本発明は、放送および無線通信の受信システムにおける伝送路応答推定器に関する。
【背景技術】
【０００２】
一般に、放送システム及び無線通信システムでは、送信局から送信された無線信号は、受信機に到達する間に地形や建造物等によって反射、散乱、回折され、複数の無線信号となって受信機に到達する。受信機がこれら複数の経路を辿った同じ無線信号を受信した場合には、受信信号は互いに合成されて、波形が歪んでしまうことがある。
【０００３】
この現象は一般的にマルチパスと呼ばれており、各々の無線信号が辿った経路はマルチパス伝送路（以下、単にパスともいう）と呼ばれている。
【０００４】
そこで、受信機では、波形が歪んでしまった受信信号から、送信局から送信された無線信号の現波形を再生する処理が行われる。この処理は一般的に等化処理と呼ばれている。
【０００５】
一般にマルチパス伝送路で発生する歪み成分は、インパルスを入力信号としたときのフィルタ応答として表すことができ、この伝送路応答を精度良く推定することが、受信機の等化処理の精度向上につながる。この伝送路応答は一般的に遅延プロファイルと呼ばれている。
【０００６】
マルチパス環境下では、受信信号は主信号（主波）とマルチパスによる遅延信号（遅延波）との合成波となる。伝送路応答推定器は、主波のフレームヘッダのタイミングで最大のピークとなり、遅延信号のフレームヘッダのタイミングで小さいピークとなる相関波形を得る。相関波形中のピーク位置は、主波及び遅延波のパスに対応したものとなる。
【０００７】
一般的には、このような相関波形に対して一定の閾値を設定し、相関波形の中から閾値に満たないピーク部分はノイズとして削除し、閾値を超えるピーク部分のみを主波及び遅延波に相当する有効パスと見なして選択し遅延プロファイルとして出力する。遅延プロファイルを用いて波形等化を行うことで、受信品質を向上させるようになっている。
【０００８】
この閾値の設定方法として、特許文献１においては無線通信チャンネルの状況や、サービスの種別、変調方式などに応じて閾値を切り替える方法が提案されている。
【０００９】
しかしながら、特許文献１の手法を用いたとしても、主波に比較的近接し比較的電力が小さい遅延信号が存在する場合には、この遅延信号に相当するパスを有効パスとして検出することができず、結果としてチャンネル推定精度が劣化する問題が生じ、受信品質が劣化するという問題があった。
【先行技術文献】
【特許文献】
【００１０】
【特許文献１】特開２００４−２３７６３号公報
【発明の概要】
【発明が解決しようとする課題】
【００１１】
本発明は、比較的電力が小さい遅延信号が存在するマルチパス環境下においても高精度な伝送路応答推定を可能にすることができる伝送路応答推定器を提供することを目的とする。
【課題を解決するための手段】
【００１２】
本発明の一態様の伝送路応答推定器は、既知パターンを含むフレーム構成の受信信号が入力され、前記既知パターンと同一パターンの参照信号と前記受信信号との時間相関を算出して相関値を出力する相関部と、前記受信信号のフレーム期間中における前記相関値の最大ピーク位置を基準にして前記相関部の出力の時間距離を求めて時間距離情報を出力する時間距離検出部と、前記最大ピーク位置と前記時間距離情報とに基づいて前記相関部が算出する前記相関値の変化に対応する閾値を生成する閾値生成部と、前記相関部からの前記相関値を前記閾値と比較することで前記相関値のレベルに基づいて有効な遅延波の検出結果を得、前記検出結果を遅延プロファイルとして出力する有効パス判定部とを具備したことを特徴とする。
【００１３】
また、本発明の他の態様の伝送路応答推定器は、既知パターンを含むフレーム構成の受信信号が入力され、前記既知パターンと同一パターンの参照信号と前記受信信号との時間相関を算出して相関値を出力する相関部と、所定の閾値以上の１つ以上の前記相関値のピーク位置を基準にして前記相関部の出力の時間距離を前記ピーク位置毎に求めて時間距離情報を出力する時間距離検出部と、前記ピーク位置毎の前記時間距離情報に基づいて前記相関部が算出する前記相関値の変化に対応する閾値を前記ピーク位置毎に生成する閾値生成部と、前記閾値生成部が生成した前記ピーク位置毎の閾値を合成して合成閾値を得る合成部と、前記相関部からの前記相関値を前記合成閾値と比較することで前記相関値のレベルに基づいて有効な遅延波の検出結果を得、前記検出結果を遅延プロファイルとして出力する有効パス判定部とを具備したことを特徴とする。
【発明の効果】
【００１４】
本発明によれば、比較的電力が小さい遅延信号が存在するマルチパス環境下においても高精度な伝送路応答推定を可能にすることができるという効果を有する。
【図面の簡単な説明】
【００１５】
【図１】本発明の第１の実施の形態に係る伝送路応答推定器を示すブロック図。
【図２】図１中の相関部１１の相関検出を説明するための説明図。
【図３】マルチパスによる遅延信号（遅延波）が含まれる場合のフレーム同期信号の検出を説明するためのタイミングチャート。
【図４】有効パス判定部１２の閾値が一定である場合における遅延プロファイルを示す説明図。
【図５】第１の実施の形態の動作を説明するための説明図。
【図６】本発明の第２の実施の形態を示すブロック図。
【図７】本発明の第３の実施の形態を示すブロック図。
【図８】本発明の第４の実施の形態を示すブロック図。
【図９】相関波形を示す説明図。
【図１０】第４の実施の形態の動作を説明するための説明図。
【図１１】本発明の第５の実施の形態を示すブロック図。
【発明を実施するための形態】
【００１６】
以下、図面を参照して本発明の実施の形態について詳細に説明する。図１は本発明の第１の実施の形態に係る伝送路応答推定器を示すブロック図である。
【００１７】
受信信号は相関部１１に入力される。受信信号は、特定の既知パターンが周期的に挿入されたフレーム構成の信号である。例えば、このような受信信号として、中国（中華人民共和国）地上デジタル放送規格のＤＴＭＢ（Digital Terrestrial Multimedia Broadcast）等がある。ＤＴＭＢにおいては、フレームは、フレームボディとフレームヘッダとによって構成されている。フレームボディには、変調されたソースストリームデータとシステム情報とが組み合わさった３７８０個のシンボルが格納されている。また、フレームヘッダには、フレームを識別するための既知のＰＮ系列が格納されている。
【００１８】
相関部１１には、受信信号に含まれる既知パターンと同一パターンを有する参照信号も入力される。相関部１１は、受信信号と参照信号との時間相関を算出する。
【００１９】
図２は図１中の相関部１１の相関検出を説明するための説明図である。図２（ａ）は相関検出の方法を示し、図２（ｂ）は相関検出結果を示している。
【００２０】
図２（ａ）は、受信信号として、既知パターンであるフレームヘッダとデータ本体であるフレームボディとが周期的に挿入された信号フレーム（以下、単にフレームという）を示している。参照信号は、フレームヘッダと同一パターンの信号である。
【００２１】
相関部１１は、受信信号に対して参照信号を１シンボルずつずらしながらスライディング複素時間相関を計算する。図２（ｂ）に示すように、参照信号のシンボルとフレームヘッダのシンボルとが完全に一致するタイミングでは、受信信号と参照信号との相関値はピークとなり、その他のタイミングでは、相関値のレベルは十分に低くノイズ状となる。こうして、相関部１１からは図２（ｂ）に示すように、ピーク部分とノイズ状部分とを有する相関波形が出力される。
【００２２】
なお、伝送路応答推定器が組み込まれる受信装置においては、受信信号と参照信号との相関値がピークとなるタイミングにおいてフレーム同期信号を発生させるようになっている。なお、フレーム同期信号は、パルスであってもよく、タイミングを示す番号でもよい。
【００２３】
図３はマルチパスによる遅延信号（遅延波）が含まれる場合のフレーム同期信号の検出を説明するためのタイミングチャートである。
【００２４】
図３においては、受信信号の主波にはマルチパスによって遅延波が多重されている。主波から所定時間遅延して遅延波のフレームヘッダが受信される。この遅延波のフレームヘッダのシンボルと参照信号のシンボルとが完全に一致するタイミングにおいて、受信信号（遅延波）と参照信号との相関値がピークとなる。従って、相関部１１の出力には、主波に基づいて検出される相関値のピークから、所定時間遅延して遅延波に基づく相関値のピークが現れる。
【００２５】
一般的に、マルチパスにおいては、主波の電力は遅延波の電力に比べて十分に大きい。従って、主波に基づく相関値のピークは、遅延波に基づく相関値のピークよりも電力レベルが十分に大きい。この電力レベルの相違によって、主波に基づく相関値のピークを遅延波に基づく相関値のピークと区別して検出することができる。
【００２６】
受信信号と参照信号との相関波形の各ピークは、マルチパスにおける各パスに対応しており、ピーク同士の距離は遅延波の遅延時間に相当する。相関波形のピークを検出することで遅延プロファイルを得ることができるので、以下、相関波形上のピークをパス又は遅延波とも呼ぶことにする。
【００２７】
相関部１１の出力（相関波形）は、有効パス判定部１２に供給される。有効パス判定部１２は、閾値生成部１４から閾値が与えられ、相関波形を閾値と比較することによって、相関波形のうちのピーク部分のみを主波及び遅延波に相当する有効パスと見なして選択し遅延プロファイルとして出力する。相関波形のうちのピーク部分のみを取り出すためには、有効パス判定部１２の閾値としては、ピーク部分以外のノイズ状部分のレベルよりも高い閾値を設定する必要がある。
【００２８】
図４は有効パス判定部１２の閾値が一定である場合における遅延プロファイルを示す説明図である。図４（ａ）は主波と１つの遅延波が多重された受信信号を受信した場合における相関波形を示し、図４（ｂ）は遅延プロファイルを示している。
【００２９】
主波と１つの遅延波とを含む受信信号を受信した場合には、相関部１１の出力は、図４（ａ）に示すものとなる。即ち、この場合には、主波に基づくパスと、このパスから所定時間遅延した遅延波に基づくパスとを有する相関波形が得られる。なお、相関波形のピークのレベルは、主波及び遅延波の信号の電力レベルに応じたものとなる。
【００３０】
ところで、一般的に、既知パターンとしては、疑似ランダムノイズ系列（ＰＮ(Pseudo random noise)）系列)が用いられる。ＰＮ系列が用いられた場合には、フレームヘッダのシンボル位置と完全に一致していないシンボル位置で受信信号と参照信号との相関が求められると、参照信号のシンボルとフレームボディのシンボルとの相関によって、シンボル位置がずれるほど相関値が高くなる。つまり、フレームボディと参照信号との相互相関値の分散が主波からの時間距離に比例することから、複素時間相関によって算出された相関波形は、主波からの時間距離に比例して分散が大きくなるという特徴がある。
【００３１】
図４（ａ）はこの特徴を示している。即ち、既知パターンとしてＰＮ系列が採用されると、主波に基づくパスからのシンボル位置がずれるほど相関値が高くなる（図４（ａ））。このため、図４（ａ）の破線にて示すように、ノイズ状部分のレベルよりも閾値を高くすると、遅延波のピークは閾値よりも低くなり、図４（ｂ）に示すように、遅延波に基づくピークは検出されず、主波に基づくピークしか検出されない。
【００３２】
そこで、本実施の形態においては、閾値生成部１４は、ノイズ状部分よりも高く且つ遅延波によるピーク部分よりは低くなるように、時間的に変化する閾値を設定するようになっている。閾値生成部１４は、閾値を変化させる時間的な基準として所定の閾値よりも高いレベルを有するピークが検出されたタイミングを用いる。例えば、閾値生成部１４は、閾値を変化させる時間的な基準として、フレーム中において、レベルが最も高いピークのタイミング、例えば、フレーム同期信号のタイミングを用いる。
【００３３】
フレーム同期信号は閾値生成部１４及び距離検出部１３に与えられる。距離検出部１３は、例えば、受信信号のうち主波のフレーム先頭位置を示すフレーム同期信号を基準として現在の相関部１１の出力の時間距離（例えばシンボル単位）を計算して計算結果を閾値生成部１４に出力するようになっている。
【００３４】
閾値生成部１４は、フレーム同期信号と距離検出部１３の出力とに基づいて、ノイズ状部分よりも高く且つ遅延波によるピーク部分よりは低くなるように、時間的に変化する閾値を適応的に生成するようになっている。相関値のノイズ状部分のレベルは、ＰＮ系列に応じた値となる。そこで、閾値生成部１４は、例えばシミュレーションによって、事前にノイズ状部分のレベルを求めることができる。閾値生成部１４は、シミュレーションによって求めたノイズ状部分のレベルに、所定の値を加算することで、主波に基づくパス位置からの時間距離に応じた閾値を生成する。
【００３５】
有効パス判定部１２は、相関部１１からの相関波形と閾値生成部１４から供給された閾値とに基づいてパスを選択し、選択したパスを有効パスとする遅延プロファイルを出力する。なお、有効パス判定部１２は、選択しなかったパスをノイズとみなして、０レベルとしてＳ／Ｎを改善してもよい。
【００３６】
次に、このように構成された実施の形態の動作について図５を参照して説明する。図５は第１の実施の形態の動作を説明するための説明図であり、図５（ａ）は相関波形を示し、図５（ｂ）は遅延プロファイルを示している。
【００３７】
受信信号は相関部１１に与えられる。相関部１１は、受信信号に対して参照信号を１シンボルずつずらしながらスライディング複素時間相関を計算し、相関波形を有効パス判定部１２に出力する。
【００３８】
一方、距離検出部１３には、受信信号のうちの主波と参照信号との相関波形のピークに対応したタイミングで発生するフレーム同期信号が入力される。距離検出部１３は、主波のフレーム先頭位置に対応したフレーム同期信号を基準とした現在の相関部１１の出力の時間距離を計算して、計算結果を閾値生成部１４に出力する。
【００３９】
閾値生成部１４は、相関波形のうちピーク部分を除くノイズ状部分のレベルをシミュレーションにより求めており、フレーム同期信号及び距離検出部１３の出力に基づいて、現在の時間に応じて、閾値を適応的に生成して有効パス判定部１２に出力する。
【００４０】
図５（ａ）は主波に１つの遅延波が多重された受信信号を受信した場合の相関波形を示している。本実施の形態においては、閾値生成部１４は、図５の破線にて示すように、シミュレーションで求めた相関波形のノイズ状部分のレベルに所定の加算値を加算した閾値を設定する。
【００４１】
有効パス判定部１２は、相関部１１からの相関波形のうち閾値生成部１４から供給された閾値を超えるピーク部分を、主波及び遅延波に相当する有効パスとして選択する。有効パス判定部１２は、選択した有効パスを示す遅延プロファイル（図５（ｂ））を出力する。
【００４２】
このように本実施の形態においては、相関波形のノイズ状部分に対応して適応的に変化する閾値を設定することで、ノイズ状部分よりも高く且つ主波及び遅延波に基づく相関波形のピーク部分よりも低いレベルの閾値を用いた有効パスの判定が可能である。従って、ノイズ状部分をピークとして誤検出することなく、電力レベルの低い遅延波に対応したピーク部分も検出することができる。こうして、相関波形から主波及び遅延波に基づくパスを確実に検出することができ、主波及び遅延波に基づく正確な遅延プロファイルを得ることができる。この遅延プロファイルを用いることで、高精度に伝送路応答を推定することができ、後段の回路によって確実な波形等化が可能である。
【００４３】
図６は本発明の第２の実施の形態を示すブロック図である。図６において図１と同一の構成要素には同一符号を付して説明を省略する。
【００４４】
本実施の形態は閾値生成部１４に代えて閾値生成部２４を採用した点が第１の実施の形態と異なる。閾値生成部２４には、フレーム同期信号及び距離検出部１３の出力の他に、相関部１１の出力が与えられるようになっている。
【００４５】
閾値生成部２４は、有効パス判定部１２に設定する閾値thrを、フレーム同期信号、距離検出部１３の出力及び相関部１１の出力を用いて求める。例えば、閾値生成部２４は、相関部１１の出力から求めた最大のパス電力値peakと、距離検出部１３からの時間距離rangeとを用いて、下記（１）式の演算によって閾値thrを求める。
【００４６】
thr＝ gain1・range ＋ gain2・peak      …（１）
なお、gain1,gain2は閾値生成部２４が設定する所定の係数であり、gain1によって閾値の傾きを制御することができ、gain2によってpeakに対する電力方向のオフセット量を制御することができる。
【００４７】
他の構成は第１の実施の形態と同様である。
【００４８】
このように構成された実施の形態においては、有効パスの判定に用いる閾値の求め方が第１の実施の形態と異なるのみである。第１の実施の形態においては、シミュレーションによって求めたノイズ状部分のレベルに所定の値を加算することで閾値を求めたが、本実施の形態においては、更に相関部１１の出力を利用して、係数gain1,gain2を制御することで、閾値の傾きの制御及び電力方向のオフセット量を制御することができる。これにより、参照信号とフレームボディの相互相関の大小、ノイズの影響の大小、受信環境の変化、無線通信規格の相違等に応じて、閾値の変化の状態を適応的に変化させることができ、遅延プロファイルをより高精度に求めることが可能である。
【００４９】
このように本実施の形態においては、係数gain1,gain2を制御して、閾値の変化の状態を適応的に変化させ、より高精度に遅延プロファイルを求めることができるという効果を有する。
【００５０】
なお、閾値を生成する方法としては、上記（１）式に示す１次関数に限らず、２次関数等の任意の関数を採用してもよい。また、予め用意しておいたテーブルを参照してもよく、上述の計算とテーブルを併用してもよく、これらの手法に限らない。
【００５１】
図７は本発明の第３の実施の形態を示すブロック図である。図７において図６と同一の構成要素には同一符号を付して説明を省略する。
【００５２】
本実施の形態は閾値生成部２４に代えて閾値生成部３４を採用すると共に平滑化部３５を付加した点が第２の実施の形態と異なる。平滑化部３５には相関部１１の出力が与えられ、平滑化部３５の出力が閾値生成部３４及び有効パス判定部１２に供給されるようになっている。
【００５３】
平滑化部３５は、相関部１１から出力される相関波形をフレーム単位で積分することで平滑化し、平滑化出力を閾値生成部３４及び有効パス判定部１２に供給する。フレームボディと参照信号による相互相関値は、略ホワイトノイズと見なすことができ、平滑化処理によってＳ／Ｎを改善することができる。これにより、閾値生成部３４は、閾値を第２の実施の形態よりも低く設定することが可能となる。
【００５４】
従って、本実施の形態においては、より電力レベルの低い有効パスを検出することが可能となり、伝送路推定精度を向上させることができる。
【００５５】
なお、平滑化部３５からの平滑化出力は、後段の波形等化回路に出力されて、波形等化処理の精度向上のためにも用いられる。
【００５６】
このように、本実施の形態においては、相関波形をフレーム単位で積分して平滑化することで、Ｓ／Ｎを改善することができ、より高精度に伝送路応答を推定することができる。
【００５７】
なお、平滑部３５は、相関部の出力の電力の積分、ベクトル積分、パスのベクトルを同位相化して積分することにより平滑化を行ってもよい。また、平滑部３５は、FIRまたはIIRフィルタによって平滑化を行ってもよい。また、平滑部３５は、フレーム方向ではなく、シンボル方向又はこれらの両方向の平滑化処理を行ってもよい。
【００５８】
また、本実施の形態を第１の実施の形態に適用することも可能である。この場合には、閾値生成部１４は、平滑部３５の出力によって相関波形のノイズ状部分の実際のレベルを認識することができる。これにより、ノイズ状部分よりも高く且つ遅延波によるピーク部分よりは低くなるように、閾値をより低く設定することが可能となり、遅延プロファイルを高精度に求めることが可能となる。
【００５９】
図８は本発明の第４の実施の形態を示すブロック図である。図８において図１と同一の構成要素には同一符号を付して説明を省略する。
【００６０】
上記各実施の形態においては、相関波形中の主波に相当するピーク、即ち、十分な電力を有するパスが１つのみ発生する例について説明した。しかし、受信環境によっては、十分な電力を有するパスが複数発生することがある。
【００６１】
図９はこの場合の相関波形を示す説明図であり、図９（ａ）は主波と遅延波の相関波形を分けて示し、図９（ｂ）は相関部１１から出力される相関波形を示している。
【００６２】
上述したように、主波と参照信号との相関値は、主波に基づくパスからのシンボル位置がずれるほど高くなる。更に、遅延波についても、主波と同様に十分な電力を有する場合には、図９（ａ）に示すように、遅延波に基づくパスからのシンボル位置がずれるほど相関値は高くなる。図９（ａ）は主波と遅延波の相関波形を分けて示したが、実際の相関波形は両者の合成波形となり、図９（ｂ）に示すように、主波と遅延との間にはレベル変化が略平坦となる部分が生じる。
【００６３】
この場合において第１の実施の形態を採用して主波のピーク位置のみを基準に閾値を設定すると、図９（ｂ）に示すように、主波のピーク位置で最もレベルが低い閾値Ｔ１’が得られる。しかしながら、この閾値Ｔ１’は遅延波のピーク位置においては相関波形に比べて比較的高いレベルを有する。従って、このような閾値Ｔ１’を用いた場合には、遅延波のピーク位置近傍において、比較的レベルが低い遅延波を検出することができない。逆に、遅延波のピーク位置近傍の相関波形のレベルを考慮して閾値Ｔ２’を設定すると、この閾値Ｔ２’は、遅延波のピーク位置近傍部分以外の相関波形のレベルに比べて低いレベルしか有しておらず、ノイズ部分において遅延波が誤検出されてしまう。
【００６４】
そこで本実施の形態においては、相関部１１から得られる相関波形のレベル変化に応じた閾値を設定可能にするものである。
【００６５】
図８において、相関部１１からの相関波形はピーク検出部４１に与えられる。ピーク検出部４１は、相関波形を所定の閾値と比較することによって、所定の電力以上のパスを検出する。これにより、図９（ａ）に示す十分に電力レベルが高い主波及び遅延波が検出される。ピーク検出部４１からの検出結果は距離検出部１３及び閾値生成部１４に与えられる。ピーク検出部４１の検出結果は、所定の電力以上の電力を有するパスのピーク位置を示している。なお、ピーク検出部４１は１フレーム内において１つ以上のピーク位置を検出する。
【００６６】
距離検出部１３は、例えば、ピーク検出部４１によって検出された各ピーク位置を夫々基準として、現在の相関部１１の出力の時間距離（例えばシンボル単位）を計算して計算結果を閾値生成部１４に出力するようになっている。閾値生成部１４は、ピーク位置と距離検出部１３の出力とに基づいて、ピーク検出部４１によって検出された各ピーク毎に、ノイズ状部分よりも高く且つ遅延波によるピーク部分よりは低くなるように、時間的に変化する閾値を適応的に生成するようになっている。
【００６７】
例えば、閾値生成部１４は、シミュレーションによって求めたノイズ状部分のレベルに、所定の値を加算することで、各ピーク位置からの時間距離に応じた閾値を夫々生成する。閾値生成部１４からの各ピークに対応した閾値は、合成閾値生成部４２に供給される。合成閾値生成部は、入力された各閾値を合成して合成閾値を有効パス判定部１２に出力する。例えば、合成閾値生成部４２は、入力された各閾値を加算して平均化することにより、合成閾値を求めてもよい。
【００６８】
他の構成は第１の実施の形態と同様である。
【００６９】
次に、このように構成された実施の形態の動作について図１０の説明図を参照して説明する。図１０（ａ）は２つのピークに夫々対応した２つの閾値を示し、図１０（ｂ）は相関波形と合成閾値とを示している。
【００７０】
本実施の形態においても、相関部１１は、受信信号に対して参照信号を１シンボルずつずらしながらスライディング複素時間相関を計算し、相関波形を有効パス判定部１２に出力する。この相関波形は、ピーク検出部４１にも与えられる。ピーク検出部４１は、レベルが所定の閾値を超える相関波形を、十分に電力が大きいパスとして検出する。ピーク検出部４１の検出結果は、距離検出部１３及び閾値生成部１４に与えられる。
【００７１】
距離検出部１３は、距離検出部１３は、電力が大きい各パスのピーク位置毎に、各ピーク位置を基準とした現在の相関部１１の出力の時間距離を計算して、計算結果を閾値生成部１４に出力する。閾値生成部１４は、相関波形のうちピーク部分を除くノイズ状部分のレベルをシミュレーションにより求めており、ピーク位置及び距離検出部１３の出力に基づいて、現在の時間に応じて、各ピークに対応した閾値を適応的に生成する。
【００７２】
図１０（ａ）は、図１０（ｂ）に示す相関波形について閾値生成部１４において求められた各閾値Ｔ１，Ｔ２を示している。閾値Ｔ１は主波Ｓ１に対応したものであり、閾値Ｔ２は遅延波Ｓ２に対応したものである。なお、遅延波Ｓ３は電力レベルが比較的小さく、ピーク検出部４１においてはピークとして検出されていない。
【００７３】
ピーク検出部４１によって検出されたこれらの各ピーク毎の閾値が合成閾値生成部４２に供給され、合成閾値生成部４２は各ピーク毎の閾値を合成して合成閾値を得る。図１０（ｂ）の破線は閾値Ｔ１，Ｔ２から求めた合成閾値Ｔ３を示している。合成閾値生成部４２からの合成閾値が有効パス判定部１２に供給される。
【００７４】
有効パス判定部１２は、相関部１１からの相関波形と合成閾値との比較を行う。図１０（ｂ）の例では、実線にて示す相関波形と破線にて示す合成閾値Ｔ３との比較によって、有効なパスが求められる。こうして、主波Ｓ１及び遅延波Ｓ２，Ｓ３を含む遅延プロファイルが求められる。
【００７５】
このように本実施の形態においても、第１の実施の形態と同様の効果が得られると共に、電力レベルが十分に大きい複数の遅延波が受信信号に含まれる場合でも、ノイズ状部分よりも高く且つ主波及び遅延波に基づく相関波形のピーク部分よりも低いレベルの合成閾値を設定することができ、主波及び遅延波に基づく正確な遅延プロファイルを得ることができる。この遅延プロファイルを用いることで、高精度に伝送路応答を推定することができ、後段の回路によって確実な波形等化が可能である。
【００７６】
なお、本実施の形態においては、閾値生成部１４は、シミュレーションによって求めたノイズ状部分のレベルに所定の値を加算することで各ピーク毎に閾値を求めているが、第２の実施の形態を適用して、上記（１）式から各ピーク毎の閾値を求めるようにしてもよい。
【００７７】
図１１は本発明の第５の実施の形態を示すブロック図である。図１１において図７及び図８と同一の構成要素には同一符号を付して説明を省略する。
【００７８】
本実施の形態は閾値生成部１４に代えて閾値生成部３４を採用すると共に平滑化部３５を付加した点が第４の実施の形態と異なる。平滑化部３５には相関部１１の出力が与えられ、平滑化部３５の出力が閾値生成部３４及び有効パス判定部１２に供給されるようになっている。
【００７９】
本実施の形態は、図７の第３の実施の形態と図８の第４の実施の形態とを組み合わせたものであり、平滑化部３５を用いることで、相関部１１から出力される相関波形をフレーム単位で積分することで平滑化し、Ｓ／Ｎを改善するものである。閾値生成部３４は、閾値を第４の実施の形態よりも低く設定することができ、合成閾値も第４の実施の形態よりも低くなる。
【００８０】
このように、本実施の形態においては、相関波形をフレーム単位で積分して平滑化することで、Ｓ／Ｎを改善することができ、より高精度に伝送路応答を推定することができる。
【００８１】
なお、上記実施の形態においては、ピーク検出部４１には相関部１１からの相関波形を与えたが、ピーク検出部４にも平滑化部３５からの平滑化後の相関波形を与えるようにしてもよい。
【符号の説明】
【００８２】
１１…相関部、１２…有効パス判定部、１３…距離検出部、１４，２４，３４…閾値生成部、３５…平滑部。
【図１】
2011199391.tif 000003
【図２】
2011199391.tif 000004
【図３】
2011199391.tif 000005
【図４】
2011199391.tif 000006
【図５】
2011199391.tif 000007
【図６】
2011199391.tif 000008
【図７】
2011199391.tif 000009
【図８】
2011199391.tif 000010
【図９】
2011199391.tif 000011
【図１０】
2011199391.tif 000012
【図１１】
2011199391.tif 000013